(57)【特許請求の範囲】
【請求項１】
第１の無線通信システムにより、制御対象である情報処理装置との間で当該情報処理装置の制御のための双方向の通信を行うための第１の端末側無線通信部と、
前記第１の無線通信システムに比較して高速な第２の無線通信システムにより、前記情報処理装置との間で双方向の通信を行うことが可能な第２の端末側無線通信部と、
映像データを得ることが可能なカメラユニットと、
前記カメラユニットにより撮像された映像データを前記第２の無線通信システムを用いて前記情報処理装置に伝送するように前記第２の端末側無線通信部を制御する第１の制御部と、
前記カメラユニットにより得られた映像データの処理の実行を指示するユーザからの入力を受け付ける入力部とを具備し、
前記第１の制御部は、前記ユーザからの入力に対して、前記第２の無線通信システムの利用に関する要求を前記第１の無線通信システムを通じて前記情報処理装置に送信し、前記情報処理装置から応答される第１の起動指示を前記第１の無線通信システムを通じて受信し、前記第２の端末側無線通信部を起動させ、
前記情報処理装置によって前記第１の起動指示に続いて生成される第２の起動指示を前記第２の無線通信システムを通じて受信し、前記カメラユニットを起動させる
無線操作端末。
【請求項２】
請求項１に記載の無線操作端末であって、
前記第１の制御部は、前記第２の端末側無線通信部を起動させる際に前記第１の端末側無線通信部をスリープ状態にする
無線操作端末。
【請求項３】
請求項２に記載の無線操作端末であって、
前記第１の制御部は、前記情報処理装置によって生成される停止指示を前記第２の無線通信システムを通じて受信し、前記第２の端末側無線通信部および前記カメラユニットを停止させ、前記第１の端末側無線通信部をスリープ状態から復帰させる
無線操作端末。
【請求項４】
請求項３に記載の無線操作端末であって、
当該無線操作端末の動きを検出する動き検出部をさらに具備し、
前記第１の制御部は、前記動き検出部の検出結果をもとに当該無線操作端末の放置状態を判定し、この放置状態が判定されたとき、前記情報処理装置に前記停止指示を送信させるための通知を前記第２の無線通信システムを通じて送信するように制御を行う
無線操作端末。
【請求項５】
第１の無線通信システムにより、制御対象である情報処理装置との間で当該情報処理装置の制御のための双方向の通信を行うための第１の端末側無線通信部と、
前記第１の無線通信システムに比較して高速な第２の無線通信システムにより、前記情報処理装置との間で双方向の通信を行うことが可能な第２の端末側無線通信部と、
音声データを得るためのマイクユニットと、
前記マイクユニットにより得られた音声データを前記第２の無線通信システムを用いて前記情報処理装置に伝送するように前記第２の端末側無線通信部を制御する第１の制御部と、
前記マイクユニットにより得られた音声データを前記第２の無線通信システムを用いて前記情報処理装置に伝送する指示をユーザから受け付ける入力部とを具備し、
前記第１の制御部は、前記ユーザの指示に対応する要求を前記第１の無線通信システムを通じて前記情報処理装置に送信し、前記情報処理装置から応答される第３の起動指示を前記第１の無線通信システムを通じて受信し、前記第２の端末側無線通信部を起動させ、
前記情報処理装置によって前記第３の起動指示に続いて生成される第４の起動指示を前記第２の無線通信システムを通じて受信し、前記マイクユニットを起動させる
無線操作端末。
【請求項６】
請求項５記載の無線操作端末であって、
前記第１の制御部は、前記第２の端末側無線通信部を起動させる際に前記第１の端末側無線通信部をスリープ状態にする
無線操作端末。
【請求項７】
請求項６記載の無線操作端末であって、
前記第１の制御部は、前記情報処理装置によって生成される停止指示を前記第２の無線通信システムを通じて受信し、前記第２の端末側無線通信部および前記マイクユニットを停止させ、前記第１の端末側無線通信部をスリープ状態から復帰させる
無線操作端末。
【請求項８】
請求項７に記載の無線操作端末であって、
当該無線操作端末の動きを検出する動き検出部をさらに具備し、
前記第１の制御部は、前記動き検出部の検出結果をもとに当該無線操作端末の放置状態を判定し、この放置状態が判定されたとき、前記情報処理装置に前記停止指示を送信させるための通知を前記第２の無線通信システムを通じて送信するように制御を行う
無線操作端末。
【請求項９】
第１の無線通信システムにより無線操作端末との間で制御を受けるための双方向の通信を行うための第１の装置側無線通信部と、
前記第１の無線通信システムに比較して高速な第２の無線通信システムにより、前記無線操作端末との間で双方向の通信を行うことが可能な第２の装置側無線通信部と、
前記無線操作端末に設けられたカメラユニットにより得られた映像データの処理の実行を指示するユーザからの入力を受け付けたことを契機に前記無線操作端末より送信された、前記第２の無線通信システムの利用に関する要求を受信し、前記無線操作端末の第２の端末側無線通信部を起動させるための第１の起動指示を前記第１の無線通信システムを通じて前記無線操作端末に送信するように前記第１の装置側無線通信部を制御し、
前記第１の起動指示の送信に続いて、前記無線操作端末の前記カメラユニットを起動させるための第２の起動指示を前記第２の無線通信システムを通じて前記無線操作端末に送信するように制御を行う第２の制御部と
を具備する情報処理装置。
【請求項１０】
請求項９に記載の情報処理装置であって、
前記第２の制御部は、前記第２の無線通信システムを通じて前記無線操作端末と接続中に、前記無線操作端末からの前記映像データの伝送が一定時間途絶えた場合に、前記無線操作端末の前記第２の端末側無線通信部および前記カメラユニットを停止させ、前記無線操作端末の第１の端末側無線通信部をスリープ状態から復帰させるための停止指示を前記第２の無線通信システムを通じて前記無線操作端末に送信するように制御を行う
情報処理装置。
【請求項１１】
請求項９に記載の情報処理装置であって、
前記第２の制御部は、前記無線操作端末に設けられたマイクユニットにより得られた音声データの処理の実行を指示するユーザからの入力を受け付けたことを契機に前記無線操作端末より送信された、前記第２の無線通信システムの利用に関する要求を受信し、前記無線操作端末の前記第２の端末側無線通信部を起動させるための第３の起動指示を前記第１の無線通信システムを通じて前記無線操作端末に送信するように前記第１の装置側無線通信部を制御し、前記第３の起動指示の送信に続いて、前記無線操作端末の前記マイクユニットを起動させるための第４の起動指示を前記第２の無線通信システムを通じて前記無線操作端末に送信するように制御を行う
情報処理装置。
【請求項１２】
請求項１１に記載の情報処理装置であって、
前記第２の制御部は、前記第２の無線通信システムを通じて前記無線操作端末と接続中に、前記無線操作端末からの前記音声データの伝送が一定時間途絶えた場合に、前記無線操作端末の前記第２の端末側無線通信部および前記マイクユニットを停止させ、前記無線操作端末の第１の端末側無線通信部をスリープ状態から復帰させるための停止指示を前記第２の無線通信システムを通じて前記無線操作端末に送信するように制御を行う
情報処理装置。
【発明の詳細な説明】
【技術分野】
【０００１】
本技術は、テレビジョン受像機などの情報処理装置を双方向の無線通信を使ってリモートコントロールすることのできる無線操作端末、および無線操作端末によってリモートコントロールされる情報処理装置に関する。
【背景技術】
【０００２】
テレビジョン受像機などの情報処理装置をリモートコントロールする無線操作端末は、赤外線通信を利用する赤外線リモコンが主流とされてきた。しかし、赤外線リモコンでは、赤外線の指向性が強いために、リモコンを被制御機器の方向へ赤外線の発光部を向ける必要があった。これに対し、電波の指向性は比較的弱いため、近年では、高周波電波を用いたＲＦ（Ｒａｄｉｏ Ｆｒｅｑｕｅｎｃｙ）リモコンが開発されて主流となりつつある。また、ＲＦリモコンの規格を標準化するための試みが各団体によってなされている。
【０００３】
例えば、近距離無線通信規格ＩＥＥＥ（登録商標）（Ｉｎｓｔｉｔｕｔｅ ｏｆ Ｅｌｅｃｔｒｉｃａｌ ａｎｄ Ｅｌｅｃｔｒｏｎｉｃ Ｅｎｇｉｎｅｅｒｓ）８０２．１５．４に準拠し、ＩＥＥＥ（登録商標）８０２．１５．４の上位に相当するネットワーク層、セキュリティ層、アプリケーション層の仕様としてＺｉｇＢｅｅ（登録商標）が標準化されている。さらに、ＩＥＥＥ（登録商標）８０２．１５．４をもとに、業界団体によってＲＦリモコン規格ＺｉｇＢｅｅ（登録商標） ＲＦ４ＣＥ（Ｒａｄｉｏ Ｆｒｅｑｕｅｎｃｙ ｆｏｒ Ｃｏｎｓｕｍｅｒ Ｅｌｅｃｔｒｏｎｉｃｓ）が標準化されている。
【０００４】
例えば、特許文献１、特許文献２には、ＲＦ４ＣＥなどのＲＦ無線信号を用いてテレビジョン受像機などの情報処理装置をコントロールする操作端末に関する技術が開示されている。
【先行技術文献】
【特許文献】
【０００５】
【特許文献１】特開２０１１−０３４２９４号公報
【特許文献２】特開２０１０−２７２９８４号公報
【発明の概要】
【発明が解決しようとする課題】
【０００６】
ところで、近年、テレビジョン受像機などの情報処理装置の多機能化は目覚しく、例えば、インターネットに接続して、インターネット上の様々なサービスを利用することが可能なテレビジョン受像機なども登場している。ＲＦリモコンは、キーボードを備え、このキーボードに対するユーザの操作によって入力された文字列などのデータも被制御機器に良好に伝送することができる。このようにＲＦリモコンは、テレビジョン受像機などの情報処理装置からインターネット上の様々なサービスを利用できる可能性を拡大する。
【０００７】
しかしながら、インターネット上のサービスも多様化している。例えば、与えられた任意の画像を認識して、認識データをもとに当該画像に関連する情報を検索するようなサービスも登場している。また、テレビジョン受像機などの情報処理装置そのものの多機能化によって、ＲＦリモコンにも不十分な側面が現れつつある。
【０００８】
以上のような事情に鑑み、本技術の目的は、インターネット上のサービスの多様化および被制御機器の多機能化に対応することのできる無線操作端末、この無線操作端末と組み合わせて用いることのできる情報処理装置を提供することにある。
【課題を解決するための手段】
【０００９】
上記の課題を解決するために、本技術に係る第１の側面である無線操作端末は、第１の無線通信システムにより、制御対象である情報処理装置との間で当該情報処理装置の制御のための双方向の通信を行うための第１の端末側無線通信部と、前記第１の無線通信システムに比較して高速な第２の無線通信システムにより、前記情報処理装置との間で双方向の通信を行うことが可能な第２の端末側無線通信部と、映像データを得ることが可能なカメラユニットと、前記カメラユニットにより撮像された映像データを前記第２の無線通信システムを用いて前記情報処理装置に伝送するように前記第２の端末側無線通信部を制御する第１の制御部とを具備する。
【００１０】
この無線操作端末では、カメラユニットで得た映像データを、制御用の無線通信に適した第１の無線通信システムに比較して高速な第２の無線通信システムを用いて、被制御機器である情報処理装置に良好に伝送することができる。これにより例えば、無線操作端末から情報処理装置への映像データのリアルタイム伝送なども実現域となる。
【００１１】
この技術に係る無線操作端末は、前記カメラユニットにより得られた映像データの処理の実行を指示するユーザからの入力を受け付ける入力部をさらに具備し、前記第１の制御部は、前記ユーザからの入力に対して、前記第２の無線通信システムの利用に関する要求を前記第１の無線通信システムを通じて前記情報処理装置に送信し、前記情報処理装置から応答される第１の起動指示を前記第１の無線通信システムを通じて受信し、前記第２の端末側無線通信部を起動させるように構成されてもよい。
【００１２】
すなわち、この無線操作端末では、第２の端末側無線通信部を起動させるためには、情報処理装置からの第１の起動指示の取得が必要である。したがって、情報処理装置に電源が入っていないときや、情報処理装置と無線通信が不能なときに入力部がユーザにより誤って操作されても、第２の端末側無線通信部が起動されないので、無駄な電力消費を抑えることができる。
【００１３】
前記第１の制御部は、前記情報処理装置によって前記第１の起動指示に続いて生成される第２の起動指示を前記第２の無線通信システムを通じて受信し、前記カメラユニットを起動させるようにしてもよい。これにより、カメラユニットを起動させるためには、情報処理装置からの第２の起動指示の取得が必要である。したがって、情報処理装置に電源が入っていないときや、情報処理装置と無線通信が不能なときに入力部がユーザにより誤って操作されても、第２の端末側無線通信部に加えてカメラユニットも起動されないので、無駄な電力消費をよりいっそう抑えることができる。
【００１４】
この技術に係る無線操作端末において、前記第１の制御部は、前記第２の端末側無線通信部を起動させる際に前記第１の端末側無線通信部をスリープ状態にするように構成されてもよい。これにより、第１の端末側無線通信部による無駄な電力消費も減らすことができる。
【００１５】
前記第１の制御部は、前記情報処理装置によって生成される停止指示を前記第２の無線通信システムを通じて受信し、前記第２の端末側無線通信部および前記カメラユニットを停止させ、前記第１の端末側無線通信部をスリープ状態から復帰させるように構成されてもよい。映像データの伝送が完了した後、ユーザが第２の端末側無線通信部およびカメラユニットを停止させることを忘れた場合に、情報処理装置から自動的に第２の端末側無線通信部およびカメラユニットを停止させることが可能になる。これによっても無駄な電力消費量を低減できる。
【００１６】
この技術に係る無線操作端末は、当該無線操作端末の動きを検出する動き検出部をさらに具備し、前記第１の制御部は、前記動き検出部の検出結果をもとに当該無線操作端末の放置状態を判定し、この放置状態が判定されたとき、前記情報処理装置に前記停止指示を送信させるための通知を前記第２の無線通信システムを通じて送信するように制御を行うように構成されてもよい。無線操作端末と情報処理装置とが第２の無線通信システムを通じて互いに接続された状態で無線操作端末が放置された場合の電力消費を最小に抑えることができる。
【００１７】
本技術に係る第２の側面である無線操作端末は、第１の無線通信システムにより、制御対象である情報処理装置との間で当該情報処理装置の制御のための双方向の通信を行うための第１の端末側無線通信部と、前記第１の無線通信システムに比較して高速な第２の無線通信システムにより、前記情報処理装置との間で双方向の通信を行うことが可能な第２の端末側無線通信部と、音声データを得るためのマイクユニットと、前記マイクユニットにより得られた音声データを前記第２の無線通信システムを用いて前記情報処理装置に伝送するように前記第２の端末側無線通信部を制御する第１の制御部とを具備する。
【００１８】
この無線操作端末では、マイクユニットで得た音声データを、制御用の無線通信に適した第１の無線通信システムに比較して高速な第２の無線通信システムを用いて、被制御機器である情報処理装置に良好に伝送することができる。これにより例えば、無線操作端末から情報処理装置への音声データのリアルタイム伝送なども実現域となる。
【００１９】
この技術に係る無線操作端末は、前記マイクユニットにより得られた音声データを前記第２の無線通信システムを用いて前記情報処理装置に伝送する指示をユーザから受け付ける入力部をさらに具備し、前記第１の制御部は、前記ユーザの指示に対応する要求を前記第１の無線通信システムを通じて前記情報処理装置に送信し、前記情報処理装置から応答される第３の起動指示を前記第１の無線通信システムを通じて受信し、前記第２の端末側無線通信部を起動させるように構成されてもよい。
【００２０】
この無線操作端末では、第２の端末側無線通信部を起動させるためには、情報処理装置からの第３の起動指示の取得が必要である。したがって、情報処理装置に電源が入っていないときや、情報処理装置と無線通信が不能なときに入力部がユーザにより誤って操作されても、第２の端末側無線通信部が起動されないので、無駄な電力消費を抑えることができる。
【００２１】
前記第１の制御部は、前記情報処理装置によって前記第３の起動指示に続いて生成される第４の起動指示を前記第２の無線通信システムを通じて受信し、前記マイクユニットを起動させるように構成されてもよい。これにより、マイクユニットを起動させるためには、情報処理装置からの第３の起動指示の取得が必要である。したがって、情報処理装置に電源が入っていないときや、情報処理装置と無線通信が不能なときに入力部がユーザにより誤って操作されても、第２の端末側無線通信部に加えてマイクユニットも起動されないので、無駄な電力消費をよりいっそう抑えることができる。
【００２２】
前記第１の制御部は、前記第２の端末側無線通信部を起動させる際に前記第１の端末側無線通信部をスリープ状態にするように構成されてもよい。これにより、第１の端末側無線通信部による無駄な電力消費も減らすことができる。
【００２３】
前記第１の制御部は、前記情報処理装置によって生成される停止指示を前記第２の無線通信システムを通じて受信し、前記第２の端末側無線通信部および前記マイクユニットを停止させ、前記第１の端末側無線通信部をスリープ状態から復帰させるように構成されてもよい。音声データの伝送が完了した後、ユーザが第２の端末側無線通信部およびマイクユニットを停止させることを忘れた場合に、情報処理装置から自動的に第２の端末側無線通信部およびマイクユニットを停止させることが可能になる。これによっても無駄な電力消費量を低減できる。
【００２４】
この技術に係る無線操作端末は、当該無線操作端末の動きを検出する動き検出部をさらに具備し、前記第１の制御部は、前記動き検出部の検出結果をもとに当該無線操作端末の放置状態を判定し、この放置状態が判定されたとき、前記情報処理装置に前記停止指示を送信させるための通知を前記第２の無線通信システムを通じて送信するように制御を行うように構成されてもよい。無線操作端末と情報処理装置とが第２の無線通信システムを通じて互いに接続された状態で無線操作端末が放置された場合の電力消費を最小に抑えることができる。
【００２５】
本技術に係る第３の側面である情報処理装置は、第１の無線通信システムにより無線操作端末との間で制御を受けるための双方向の通信を行うための第１の装置側無線通信部と、前記第１の無線通信システムに比較して高速な第２の無線通信システムにより、前記無線操作端末との間で双方向の通信を行うことが可能な第２の装置側無線通信部と、前記無線操作端末に設けられたカメラユニットにより得られた映像データの処理の実行を指示するユーザからの入力を受け付けたことを契機に前記無線操作端末より送信された、前記第２の無線通信システムの利用に関する要求を受信し、前記第２の端末側無線通信部を起動させるための第１の起動指示を前記第１の無線通信システムを通じて前記無線操作端末に送信するように第１の装置側無線通信部を制御する第２の制御部とを具備する。
【００２６】
この情報処理装置では、無線操作端末から、カメラユニットで得た映像データを、制御用の無線通信に適した第１の無線通信システムに比較して高速な第２の無線通信システムを用いて受信することができる。これにより例えば、無線操作端末から情報処理装置への映像データのリアルタイム伝送なども実現域となる。また、無線操作端末の第２の端末側無線通信部を起動させるためには、情報処理装置からの第１の起動指示の取得が必要である。したがって、情報処理装置に電源が入っていないときや、情報処理装置と無線通信が不能なときに入力部がユーザにより誤って操作されても、第２の端末側無線通信部が起動されないので、無駄な電力消費を抑えることができる。
【００２７】
前記第２の制御部は、前記第１の起動指示の送信に続いて、前記無線操作端末の前記カメラユニットを起動させるための第２の起動指示を第２の無線通信システムを通じて前記無線操作端末に送信するように制御を行うように構成されてもよい。これにより、カメラユニットを起動させるためには、情報処理装置からの第２の起動指示の取得が必要である。したがって、情報処理装置に電源が入っていないときや、情報処理装置と無線通信が不能なときに入力部がユーザにより誤って操作されても、第２の端末側無線通信部に加えてカメラユニットも起動されないので、無駄な電力消費をよりいっそう抑えることができる。
【００２８】
前記第２の制御部は、前記第２の無線通信システムを通じて前記無線操作端末と接続中に、前記無線操作端末からの前記映像データの伝送が一定時間途絶えた場合に、前記無線操作端末の前記第２の端末側無線通信部および前記カメラユニットを停止させ、前記第１の端末側無線通信部をスリープ状態から復帰させるための停止指示を第２の無線通信システムを通じて前記無線操作端末に送信するように制御を行うように構成されてもよい。映像データの伝送が完了した後、ユーザが無線操作端末の第２の端末側無線通信部およびカメラユニットを停止させることを忘れた場合に、情報処理装置から自動的に第２の端末側無線通信部およびカメラユニットを停止させることが可能になる。これによっても無駄な電力消費量を低減できる。
【００２９】
前記第２の制御部は、前記無線操作端末に設けられたマイクユニットにより得られた音声データの処理の実行を指示するユーザからの入力を受け付けたことを契機に前記無線操作端末より送信された、前記第２の無線通信システムの利用に関する要求を受信し、前記第２の端末側無線通信部を起動させるための第３の起動指示を前記第１の無線通信システムを通じて前記無線操作端末に送信するように第１の装置側無線通信部を制御するように構成されてもよい。無線操作端末の第２の端末側無線通信部を起動させるためには、情報処理装置からの第３の起動指示の取得が必要である。したがって、情報処理装置に電源が入っていないときや、情報処理装置と無線通信が不能なときに入力部がユーザにより誤って操作されても、第２の端末側無線通信部が起動されないので、無駄な電力消費を抑えることができる。
【００３０】
前記第２の制御部は、前記第３の起動指示の送信に続いて、前記無線操作端末の前記マイクユニットを起動させるための第４の起動指示を第２の無線通信システムを通じて前記無線操作端末に送信するように制御を行うように構成されてもよい。これにより、マイクユニットを起動させるためには、情報処理装置からの第４の起動指示の取得が必要である。したがって、情報処理装置に電源が入っていないときや、情報処理装置と無線通信が不能なときに入力部がユーザにより誤って操作されても、第２の端末側無線通信部に加えてマイクユニットも起動されないので、無駄な電力消費をよりいっそう抑えることができる。
【００３１】
前記第２の制御部は、前記第２の無線通信システムを通じて前記無線操作端末と接続中に、前記無線操作端末からの前記音声データの伝送が一定時間途絶えた場合に、前記無線操作端末の前記第２の端末側無線通信部および前記マイクユニットを停止させ、前記第１の端末側無線通信部をスリープ状態から復帰させるための停止指示を第２の無線通信システムを通じて前記無線操作端末に送信するように制御を行うように構成されてもよい。音声データの伝送が完了した後、ユーザが無線操作端末の第２の端末側無線通信部およびマイクユニットを停止させることを忘れた場合に、情報処理装置から自動的に第２の端末側無線通信部およびマイクユニットを停止させることが可能になる。これによっても無駄な電力消費量を低減できる。
【発明の効果】
【００３２】
以上のように、本技術によれば、インターネット上のサービスの多様化および被制御機器の多機能化に対応することのできる無線操作端末、この無線操作端末と組み合わせて用いることのできる情報処理装置を提供することができる。
【図面の簡単な説明】
【００３３】
【図１】本技術に係る第１の実施形態の無線制御システムの構成を示すブロック図である。
【図２】図１の情報処理装置のハードウェア構成を示す図である。
【図３】図１の無線操作端末の正面側の側面図である。
【図４】図３の無線操作端末の背面側の側面図である。
【図５】図３の無線操作端末を下から見た側面図である。
【図６】図３の無線操作端末を左側から見た側面図である。
【図７】図３の無線操作端末ハードウェア構成を示す図である。
【図８】無線操作端末の映像用アプリケーション起動ボタンが操作された場合の無線制御システムにおける処理の流れを示す図である。
【図９】無線操作端末の音声用アプリケーション起動ボタンが操作された場合の無線制御システムにおける処理の流れを示す図である。
【図１０】放置状態でのデータ伝送を禁止することが設定された条件で映像用アプリケーション起動ボタンが操作された場合の処理の流れを示す図である。
【発明を実施するための形態】
【００３４】
以下、本技術に係る実施形態を、図面を参照しながら説明する。
＜第１の実施形態＞
図１は、本技術に係る第１の実施形態の無線制御システムの構成を示すブロック図である。同図に示すように、本実施形態の無線制御システム１００は、制御対象である情報処理装置２００と、情報処理装置２００を遠隔操作するための無線操作端末３００とを有する。
【００３５】
無線操作端末３００は、カメラユニット（図７の３５６）を搭載する。ユーザはこのカメラユニットで任意の被写体を撮像することができる。カメラユニットを用いて得られた映像データは無線で情報処理装置２００に伝送することができる。また、無線操作端末３００はマイクユニット（図７の３６１）を搭載する。映像データと同様、ユーザはこのマイクユニットを用いて得られた音声データを無線で無線操作端末３００に伝送することが可能である。
【００３６】
情報処理装置２００は、例えば、無線操作端末３００のカメラユニットによって撮像された映像データをディスプレイに表示したり、その映像の中の画像を認識して認識された物に関連する情報を検索するサービスを利用したりするなど、映像データに基づく処理を行うためのアプリケーションプログラム（以下「映像用アプリケーション」と呼ぶ。）を搭載する。
【００３７】
また、情報処理装置２００は、例えば、無線操作端末３００のマイクユニットによって集音された音声データをスピーカより音として出力したり、音声データを認識して情報処理装置２００を制御するなど、音声データに基づく処理を行うためのアプリケーションプログラム（以下「音声用アプリケーション」と呼ぶ。）を搭載する。
【００３８】
近年、無線リモコンの分野においては、高周波電波を用いたＲＦ（Ｒａｄｉｏ Ｆｒｅｑｕｅｎｃｙ）リモコンが主流となりつつある。具体的には、家電用ＲＦリモコンの国際規格であるＲＦ４ＣＥ（Ｒａｄｉｏ Ｆｒｅｑｕｅｎｃｙ ｆｏｒ Ｃｏｎｓｕｍｅｒ Ｅｌｅｃｔｒｏｎｉｃｓ）などがある。しかし、ＲＦ４ＣＥの通信速度の理論値は２５０Ｋｂｐｓである。この速度は制御信号などの伝送には十分であるが、映像データや音声データをリアルタイム伝送する場合には十分とは言えない。
【００３９】
本実施形態の無線制御システム１００は、例えばＲＦ４ＣＥ規格など、ＲＦ信号を用いた無線通信規格に準拠した第１の無線通信システムと、この第１の無線通信システムよりも高速な第２の無線通信システムとを備えた構成を採用する。これらを適宜切り替えて使用する。第２の無線通信システムとしては、第１の無線通信システムよりも高速な無線通信システムであることが必須であり、例えばＩＥＥＥ ８０２．１１ｂ規格に準拠した無線ＬＡＮなどを利用することができる。ＩＥＥＥ ８０２．１１ｂ規格では、公称速度が１１Ｍｂｐｓとされており、ＲＦ４ＣＥに比較して十分高速である。
【００４０】
但し、高速であるほど消費電力も増大することから、無線ＬＡＮを常時動作させることによって信号の伝送をすべて無線ＬＡＮを使って行う形態は、バッテリを電源とする無線操作端末に採用し難い。そこで、本実施形態の無線制御システム１００は、第１の無線通信システムと第２の無線通信システムとを、全体消費電力を抑えられるように適宜切り替えて動作させる。以下に、本実施形態の無線制御システム１００の詳細を説明する。
【００４１】
［情報処理装置２００の構成］
まず、情報処理装置２００の構成から説明する。
図２は情報処理装置２００のハードウェア構成を示す図である。
本実施形態では、情報処理装置２００としてテレビジョン受像機を用いた場合を説明する。
【００４２】
この情報処理装置２００は、ＣＰＵ（Ｃｅｎｔｒａｌ Ｐｒｏｃｅｓｓｉｎｇ Ｕｎｉｔ）２０１（第２の制御部）、バス２０２、メモリ２０３、ストレージ２０４、ＩＲ受信部２０５、ネットワークＩ／Ｆ２０６、第１のTV無線通信部２０７（第１の装置側無線通信部）、第２のTV無線通信部２０８（第２の装置側無線通信部）を有する。情報処理装置２００は、また、アンテナ２０９、チューナ２１０、デスクランブラ２１１、デマルチプレクサ２１２、Ａｕｄｉｏデコーダ２１３、Ｖｉｄｅｏデコーダ２１４、音声処理回路２１５、スピーカ２１６、ＧＵＩ重畳器２１７、映像処理回路２１８、ディスプレイ２１９を有している。
【００４３】
この情報処理装置２００では、ＣＰＵ２０１が、バス２０２を介して接続されたメモリ２０３又はストレージ２０４に記憶されているプログラムに従って各種処理を実行する。またＣＰＵ２０１は、ＩＲ受信部２０５を介して無線操作端末３００より入力される赤外線信号をコマンドとして受け取る。ＣＰＵ２０１は、このコマンドに応じて各部の動作を制御する。
【００４４】
第１のTV無線通信部２０７は、例えばＲＦ４ＣＥ規格など、ＲＦ信号を用いた無線通信規格に準拠した第１の無線通信システムを用いて、無線操作端末３００との間で双方向の通信を行う。
第２のTV無線通信部２０８は、第１の無線通信システムよりも高速な第２の無線通信システムを用いて無線操作端末３００との間で双方向の通信を行う。第２の無線通信システムとしては、例えば、ＩＥＥＥ ８０２．１１ｂ規格に準拠した無線ＬＡＮなどを利用することができる。
【００４５】
アンテナ２０９は、デジタル放送信号などを受信してチューナ２１０に入力する。
チューナ２１０は、デジタル放送信号から所定のチャンネル（例えば無線操作端末３００を介してユーザによって指定されたチャンネル）の放送信号を抽出する。チューナ２１０は、この抽出した放送信号に対して復調処理を施して得た所定のチャンネルのトランスポートストリームをデスクランブラ２１１に出力する。
【００４６】
デスクランブラ２１１は、情報処理装置２００に装着された所定のＩＣカード（図示せず）にあらかじめ記憶されている解除キーを用いて、チューナ２１０から入力されたトランスポートストリームのスクランブルを解除する。デスクランブラ２１１は、このスクランブル解除済のトランスポートストリームをデマルチプレクサ２１２に出力する。
【００４７】
デマルチプレクサ２１２は、デスクランブラ２１１から入力されたスクランブル解除済のトランスポートストリームからオーディオデータとビデオデータとを分離する。デマルチプレクサ２１２は、分離したオーディオデータをＡｕｄｉｏデコーダ２１３に出力し、分離したビデオデータをＶｉｄｅｏデコーダ２１４に出力する。
【００４８】
Ａｕｄｉｏデコーダ２１３は、デマルチプレクサ２１２から入力されたオーディオデータをデコードし、得られた音声データを、音声処理回路２１５に出力する。
【００４９】
音声処理回路２１５は、Ａｕｄｉｏデコーダ２１３から入力された音声データに対してＤ／Ａ（Ｄｉｇｉｔａｌ／Ａｎａｌｏｇ）変換、増幅処理などを施し、得られた音声信号をスピーカ２１６に出力する。
【００５０】
Ｖｉｄｅｏデコーダ２１４は、デマルチプレクサ２１２から入力されたビデオデータをデコードし、得られた映像データを、ＧＵＩ（Ｇｒａｐｈｉｃａｌ Ｕｓｅｒ Ｉｎｔｅｒｆａｃｅ）重畳器２１７に出力する。
【００５１】
ＧＵＩ重畳器２１７は、Ｖｉｄｅｏデコーダ２１４から入力された映像データに対して、ＯＳＤ（Ｏｎ Ｓｃｒｅｅｎ Ｄｉｓｐｌａｙ）などのグラフィックデータを重畳して、映像処理回路２１８に出力する。
【００５２】
映像処理回路２１８は、ＧＵＩ重畳器２１７から入力された映像データに対して、所定の画像処理、Ｄ／Ａ（Ｄｉｇｉｔａｌ／Ａｎａｌｏｇ）変換などを施し、得られた映像信号をディスプレイ２１９に出力する。
【００５３】
また、ＣＰＵ２０１は、無線操作端末３００の操作に応じて、上述したと同様に、デジタル放送を受信し、所定のチャンネルのトランスポートストリームを得て、これを番組の映像音声データとして、ストレージ２０４に記憶することができる。
【００５４】
このようにして、情報処理装置２００は、デジタル放送を受信して、その番組を視聴可能なようにディスプレイ２１９およびスピーカ２１６を通じて出力したり、ストレージ２０４に録画したりすることができる。
【００５５】
メモリ２０３あるいはストレージ２０４には、無線操作端末３００から伝送された映像データを画面に表示したり、画像を認識して認識された物に関連する情報を検索するサービスを利用したりするなど、映像データを用いた処理を行うための映像用アプリケーションプログラムが格納される。また、メモリ２０３あるいはストレージ２０４には、無線操作端末３００から伝送された音声データを認識し、認識データの中から情報処理装置２００の制御用コマンドを抽出して情報処理装置２００を制御したり、認識された文字列で検索サービスを利用したりするなど、音声データを用いた処理を行うための音声用アプリケーションプログラムが格納されている。
【００５６】
［無線操作端末３００の構成］
次に、無線操作端末３００の構成を説明する。
図３から図６は無線操作端末３００の外観図である。
【００５７】
図３に示すように、無線操作端末３００の少なくとも正面にはキーボード３１０、リモコンキー３２０（入力部）、ポインティングデバイス３３０などが設けられている。キーボード３１０には、文字入力などに用いられる複数のキーが設けられている。リモコンキー３２０には、テレビジョン受像機用の主電源ボタン３２１、セットトップボックス用の主電源ボタン３２２、ＢＤ（ｂｌｕ−ｒａｙ）／ＤＶＤ（Ｄｉｇｉｔａｌ Ｖｅｒｓａｔｉｌｅ Ｄｉｓｃ）用の操作ボタン３２３、音声ボリューム調整ボタン３２４、チャンネル切り替えボタン３２５、映像用アプリケーション起動ボタン３２６、音声用アプリケーション起動ボタン３２７などが設けられている。リモコンキー３２０にはマイク用の穴３２８が設けられている。
【００５８】
図４および図５に示すように、無線操作端末３００の筐体３４０の左右の部分は、ユーザの左右の手で握り易いように膨出させてある。これにより左右一対のハンドル部３４１Ｌ、３４１Ｒが設けられている。筐体３４０の上面および背面にはＩＲ送信部（図７の３５５）の赤外線透過窓３４２が設けられている。赤外線透過窓３４２は赤外線を透過可能なカバーにより覆われている。また、筐体３４０の背面の左右一対のハンドル部３４１Ｌ、３４１Ｒの間にはカメラユニット（図７の３５６）のレンズ穴３４３が設けられている。このレンズ穴３４３は、具体的には赤外線透過窓３４２のカバーに設けられている。さらに、筐体３４０の背面の左右一対のハンドル部３４１Ｌ、３４１Ｒの間にはバッテリ（図７の３５４）の着脱用のスライド蓋３４５が設けられている。このスライド蓋３４５を開いた場所にバッテリが装着される。
【００５９】
図７は、無線操作端末３００のハードウェア構成を示す図である。
無線操作端末３００は、ＣＰＵ３５１（第１の制御部）、第１のリモコン無線通信部３５２（第１の端末側無線通信部）、第２のリモコン無線通信部３５３（第２の端末側無線通信部）、サブコントローラ３５４（第１の制御部）、ＩＲ発信部３５５、カメラユニット３５６、エンコーダ３５７、不揮発性記憶部３５８、リモコンキー３２０（入力部）、キーボード３１０を有する。無線操作端末３００は、また、ポインティングデバイス３３０、マイクユニット３６１、３軸加速度センサ３６２（動き検出部）、汎用インタフェース３６３、バッテリ３６４、第１の電源回路３６５、第２の電源回路３６６などを有する。
【００６０】
ＣＰＵ３５１は、無線操作端末３００を構成する各ブロックの全体的な制御、各種の演算処理、各ブロック間でのデータのやりとりを制御する。
【００６１】
３軸加速度センサ３６２は、無線操作端末３００の姿勢、動きなどを検出するために、ＸＹＺの３軸方向の加速度をそれぞれ検出してＣＰＵ３５１に供給する。ＣＰＵ３５１は３軸加速度センサ３６２の３軸それぞれの出力をＡ／Ｄ変換して取り込む。
【００６２】
汎用インタフェース３６３は、例えば、ファームウェアのバージョンアップなどを目的に、リムーバルメディアに対してデータの読み込みおよび書き込みを行うことが可能なインタフェースである。汎用インタフェース３６３は、具体的にはＵＳＢインタフェースなどであるが、本技術においては限定されない。
【００６３】
カメラユニット３５６は、情報処理装置２００へ伝送する映像を撮影するためのものである。カメラユニット３５６は、ＣＭＯＳ（Ｃｏｍｐｌｅｍｅｎｔａｒｙ Ｍｅｔａｌ ｏｘｉｄｅ ｓｅｍｉｃｏｎｄｕｃｔｏｒ）イメージセンサなどの撮像素子と、撮像素子の出力をＡ／Ｄ変換するＡ／Ｄコンバータなどで構成される。
【００６４】
エンコーダ３５７は、カメラユニット３５６で得た撮像データをＪＰＥＧ（Ｊｏｉｎｔ Ｐｈｏｔｏｇｒａｐｈｉｃ Ｅｘｐｅｒｔｓ Ｇｒｏｕｐ）などの標準的な符号化データにエンコードする。
【００６５】
不揮発性記憶部３５８は、符号化された映像データなどの保存に用いられる。
【００６６】
ＩＲ発信部３５５は、情報処理装置２００を制御するためのコマンドがパルス変調されたＩＲ（ｉｎｆｒａｒｅｄ）信号を発信する。
【００６７】
ポインティングデバイス３３０は、情報処理装置２００の画面上のポインティングカーソルの操作など、座標などのデータを入力するための手段である。ポインティングデバイス３３０は光学マウスなどの構造を有するものである。
【００６８】
マイクユニット３６１は、主にユーザの声の集音に用いられ、音声を捕らえて電気信号に変換してＣＰＵ３５１に供給する。マイクユニット３６１は、より詳細には、マイク３７１と、マイク３７１の出力を増幅してＡ／Ｄ変換する増幅Ａ／Ｄ変換回路３７２とを有する。
【００６９】
第１のリモコン無線通信部３５２は、例えばＲＦ４ＣＥ規格など、ＲＦ信号を用いた無線通信規格に準拠した第１の無線通信システムを用いて、情報処理装置２００との間で双方向の通信を行う。
【００７０】
第２のリモコン無線通信部３５３は、第１の無線通信システムよりも高速な第２の無線通信システムを用いて情報処理装置２００との間で双方向の通信を行う。第２の無線通信システムとしては、例えば、ＩＥＥＥ ８０２．１１ｂ規格に準拠した無線ＬＡＮなどを利用することができる。
【００７１】
サブコントローラ３５４は、第２のリモコン無線通信部３５３、カメラユニット３５６、エンコーダ３５７などを制御する回路である。なお、本実施形態では、第１のリモコン無線通信部３５２の制御はＣＰＵ３５１が担う。なお、ＣＰＵ３５１として、より高速なものを採用することによって、第２のリモコン無線通信部３５３、カメラユニット３５６、エンコーダ３５７などの制御もＣＰＵ３５１で行うように構成してもよい。この場合にはサブコントローラ３５４は不要である。
【００７２】
バッテリ３６４は、無線操作端末３００の全体の必要電力を担う。
【００７３】
第１の電源回路３６５は、バッテリ３６４の電力からＣＰＵ３５１で使用可能な電圧を生成してＣＰＵ３５１に供給する。
【００７４】
第２の電源回路３６６は、バッテリ３６４の電力からサブコントローラ３５４で使用可能な電圧を生成してＣＰＵ３５１に供給する。第２の電源回路３６６は、ＣＰＵ３５１からＯＮ／ＯＦＦの切換制御信号を入力する制御入力ポートを有する。第２の電源回路３６６は、この制御入力ポートに入力された切換制御信号をもとに、サブコントローラ３５４への電力の供給のＯＮ／ＯＦＦを切り替えることが可能である。
【００７５】
［本実施形態の動作］
次に、本実施形態の無線制御システム１００の動作を説明する。
この無線制御システム１００では、無線操作端末３００のカメラユニット３５６で得られた映像データおよびマイクユニット３６１で得られた音声データが、第２の無線通信システムを用いて無線操作端末３００から情報処理装置２００に伝送される。
【００７６】
このように無線操作端末３００が情報処理装置２００に映像データを伝送するためには、第２のリモコン無線通信部３５３とカメラユニット３５６が動作している必要がある。同様に、無線操作端末３００が情報処理装置２００に音声データを伝送するためには、第２のリモコン無線通信部３５３とマイクユニット３６１が動作している必要がある。しかし、映像データまたは音声データの伝送が行われる頻度は、無線操作端末３００の全使用時間の中でそれほど高くない。このため、消費電力の抑制を考慮すると、第２のリモコン無線通信部３５３、カメラユニット３５６、マイクユニット３６１は、映像データまたは音声データの伝送指示が発生してから起動させることが重要である。
【００７７】
無線操作端末３００において、映像データまたは音声データの伝送指示は、映像用アプリケーション起動ボタン３２６、音声用アプリケーション起動ボタン３２７がユーザによって操作されたことをＣＰＵ３５１が認識することによって実質的に発生する。例えば、ＣＰＵ３５１は、映像用アプリケーションの実行に割り当てられた映像用アプリケーション起動ボタン３２６が操作されたことを認識すると、典型的には、その時点から第２のリモコン無線通信部３５３とカメラユニット３５６を起動させる。ところが、これに起因して無駄な電力消費が発生する可能性がある。次のその理由を説明する。
【００７８】
映像用アプリケーション起動ボタン３２６、音声用アプリケーション起動ボタン３２７は誤操作される場合が考えられる。例えば、映像用アプリケーション起動ボタン３２６が操作されただけで第２のリモコン無線通信部３５３とカメラユニット３５６がそれぞれ起動されてしまうと、誤って操作される都度、第２のリモコン無線通信部３５３とカメラユニット３５６において電力が無駄に消費される。但し、この場合、情報処理装置２００のディスプレイ２１９にカメラユニット３５６の撮影画像が表示されることで、ユーザは誤操作の発生を知って第２のリモコン無線通信部３５３とカメラユニット３５６を停止させる操作をユーザが行うことで、無駄な電力の消費は極力少なく抑えられる。ところが、情報処理装置２００に電源が入っていない場合や、情報処理装置２００と無線通信が不能な状況においては事情が異なる。このような場合には、第２のリモコン無線通信部３５３とカメラユニット３５６が起動されていることが容易には分からないため、無駄な電力消費量は無視できない程度にまで増大するおそれがある。本実施形態はこのような点を解決すべき課題の１つとしている。
【００７９】
［動作１］
次に、本実施形態の無線制御システム１００において無線操作端末３００の映像用アプリケーション起動ボタン３２６が操作された場合の動作を説明する。
図８は、無線操作端末３００の映像用アプリケーション起動ボタン３２６が操作された場合の無線制御システム１００における処理の流れを示す図である。
【００８０】
なお、前提として、情報処理装置２００と無線操作端末３００は第１の無線通信システムにより接続された状態にある。第２の無線通信システムは、初期状態において停止状態にある。無線操作端末３００のカメラユニット３５６およびマイクユニット３６１も初期状態においては停止状態にある。ここで言う「停止状態」は電力が供給されていないことを含む。「起動」は電力が供給されることを含む。
【００８１】
Ｓ１．無線操作端末３００の映像用アプリケーション起動ボタン３２６が操作される。
Ｓ２．無線操作端末３００のＣＰＵ３５１は、操作された映像用アプリケーション起動ボタン３２６に割り当てられたキーコードを第１の無線通信システムを通じて情報処理装置２００に伝送する。
【００８２】
Ｓ３．情報処理装置２００のＣＰＵ２０１は、無線操作端末３００より伝送されたキーコードを取得すると、第１の無線通信システムを通じて無線操作端末３００に応答を返信する。情報処理装置２００のＣＰＵ２０１は、この後、第２の無線通信システムによる無線操作端末３００との接続を確立するために必要な情報のやりとり（ネゴシエーション）を第１の無線通信システムを使って無線操作端末３００との間で行う。
【００８３】
Ｓ４．無線操作端末３００のＣＰＵ３５１は、応答を受信すると情報処理装置２００からの指示に対する待機モードに入る。
【００８４】
Ｓ５．無線操作端末３００のＣＰＵ３５１は、待機モードに入ると、応答信号を受信してから一定時間（例えば４ｓ）が経過したタイミングで待機状態に関する問い合せ（GET_WAIT STATUS REQUEST）を第１の無線通信システムを通じて情報処理装置２００に一定の時間周期で送信する。
【００８５】
Ｓ６．情報処理装置２００のＣＰＵ２０１は問い合せ（GET_WAIT STATUS REQUEST）を受信した時点でネゴシエーションが完了していない場合には、そのまま待機モードを継続することを指示するための応答（GET_WAIT STATUS RESPONSE）を第１の無線通信システムを通じて無線操作端末３００に送信する。無線操作端末３００は、この場合には待機モードをそのまま継続する。また、情報処理装置２００のＣＰＵ２０１は、問い合せ（GET_WAIT STATUS REQUEST）を受信した時点でネゴシエーションが完了している場合には、第２のリモコン無線通信部３５３の起動指示（第１の起動指示）と待機モードの継続を指示するための応答（GET_WAIT STATUS RESPONSE）を第１の無線通信システムを通じて無線操作端末３００に送信する。なお、図８のＳ６は後者の場合を示している。
【００８６】
Ｓ７．この後、情報処理装置２００のＣＰＵ２０１は、第２のTV無線通信部２０８を起動し、第１のTV無線通信部２０７をスリープ状態にする。
【００８７】
Ｓ８．無線操作端末３００のＣＰＵ３５１は、第２のリモコン無線通信部３５３の起動指示（第１の起動指示）と待機モードの継続を指示するための応答（GET_WAIT STATUS RESPONSE）を受信すると、待機モードを継続しつつ第２のリモコン無線通信部３５３を起動し、第１のリモコン無線通信部３５２をスリープ状態にする。これにより、情報処理装置２００と無線操作端末３００とが第２の無線通信システムを通じて接続された状態になる。
なお、無線通信部のスリープ状態とは、例えば、受信動作を休止するなどして、電力消費を抑え、かつスリープ状態からの復帰の指示に対して受信動作を直ちに開始できる状態などを言う。
【００８８】
Ｓ９．情報処理装置２００のＣＰＵ２０１は、第２の無線通信システムを使用して無線操作端末３００にカメラユニット３５６の起動指示（START_Camera_mode）（第２の起動指示）を送信する。
【００８９】
Ｓ１０．無線操作端末３００において、受信されたカメラユニット３５６の起動指示（第２の起動指示）はサブコントローラ３５４に供給される。サブコントローラ３５４は、カメラユニット３５６の起動指示（第２の起動指示）に応じてカメラユニット３５６を起動させる。これによりカメラユニット３５６による撮影が開始される。
【００９０】
Ｓ１１．カメラユニット３５６によって撮影された映像はエンコーダ３５７によって、例えば一定時間間隔毎のＪＰＥＧデータなどの静止画データに符号化される。符号化された静止画データは、サブコントローラ３５４によって第２のリモコン無線通信部３５３に供給され、ここで無線ＬＡＮパケットに変換されて、第２の無線通信システムを通じて情報処理装置２００に伝送される。
【００９１】
Ｓ１２．情報処理装置２００の第２のTV無線通信部２０８にて受信された無線ＬＡＮパケットは、符号化された静止画データに復元された後、Ｖｉｄｅｏデコーダ２１４にて復号され、ＧＵＩ重畳器２１７、映像処理回路２１８を通じてディスプレイ２１９に連続して供給されて表示される。この後は、例えば、無線操作端末３００のユーザが、ディスプレイ２１９に連続的に表示された映像を見ながら任意のタイミングで無線操作端末３００に設けられたシャッタボタンを操作する。すると無線操作端末３００から情報処理装置２００に第２の無線通信システムを通じてシャッタボタンに対応するキーコードが伝送される。情報処理装置２００のＣＰＵ２０１は、このキーコードを取得したタイミングに対応する静止画データに対して、映像用アプリケーションに従って所定の処理を実行する。
【００９２】
Ｓ１３．情報処理装置２００のＣＰＵ２０１は、所定のデータ伝送停止条件が成立したことを判定すると、無線操作端末３００にカメラユニット３５６の停止指示（STOP_Camera_mode）を第２の無線通信システムを通じて送信する。データ伝送停止条件には、例えば、無線操作端末３００からの映像データの伝送が一定時間連続して途絶えたこと、などが挙げられる。
【００９３】
Ｓ１４．無線操作端末３００にカメラユニット３５６の停止指示（STOP_Camera_mode）を送信した後、情報処理装置２００のＣＰＵ２０１は、第２のTV無線通信部２０８を停止し、第１のTV無線通信部２０７をスリープ状態から復帰させる。
【００９４】
Ｓ１５．一方、無線操作端末３００のＣＰＵ３５１は、カメラユニット３５６の停止指示（STOP_Camera_mode）に従って、カメラユニット３５６を停止させるとともに第２のリモコン無線通信部３５３を停止させ、第１のリモコン無線通信部３５２をスリープ状態から復帰させる。
【００９５】
Ｓ１６．この後、無線操作端末３００のＣＰＵ３５１は、第１の無線通信システムを使用して第２の無線通信システムの停止を情報処理装置２００に通知する。
【００９６】
Ｓ１７．情報処理装置２００のＣＰＵ２０１は、無線操作端末３００より第２の無線通信システムの停止通知を受信すると、この通知に対する応答を第１の無線通信システムを使用して無線操作端末３００に返信する。
【００９７】
Ｓ１８．無線操作端末３００のＣＰＵ３５１は、この応答を受けて、情報処理装置２００からの指示に対する待機モードを抜けて、次のキー操作に対する待機モードに入る。
【００９８】
このように本実施形態では、無線操作端末３００の映像用アプリケーション起動ボタン３２６がユーザにより操作されても、情報処理装置２００からの起動の指示を無線操作端末３００が受けない限り無線操作端末３００内の第２のリモコン無線通信部３５３およびカメラユニット３５６が起動されない。したがって、情報処理装置２００に電源が入っていないときや、情報処理装置２００と無線通信が不能なときに映像用アプリケーション起動ボタン３２６がユーザにより誤って操作されても、第２のリモコン無線通信部３５３およびカメラユニット３５６が起動されないので、無駄な電力消費を少なくすることができる。
【００９９】
［動作２］
次に、本実施形態の無線制御システム１００において無線操作端末３００の音声用アプリケーション起動ボタン３２７が操作された場合の動作を説明する。
図９は、無線操作端末３００の音声用アプリケーション起動ボタン３２７が操作された場合の処理の流れを示す図である。
【０１００】
Ｓ２１．無線操作端末３００の音声用アプリケーション起動ボタン３２７が操作される。
Ｓ２２．無線操作端末３００のＣＰＵ３５１は、操作された音声用アプリケーション起動ボタン３２７に割り当てられたキーコードを第１の無線通信システムを通じて情報処理装置２００に伝送する。
【０１０１】
Ｓ２３．情報処理装置２００のＣＰＵ２０１は、無線操作端末３００より伝送されたキーコードを取得すると、第１の無線通信システムを通じて無線操作端末３００に応答を返信する。情報処理装置２００のＣＰＵ２０１は、この後、第２の無線通信システムによる無線操作端末３００との接続を確立するために必要な情報のやりとり（ネゴシエーション）を第１の無線通信システムを使って無線操作端末３００との間で行う。
【０１０２】
Ｓ２４．無線操作端末３００のＣＰＵ３５１は、応答を受信すると情報処理装置２００からの指示に対する待機モードに入る。
【０１０３】
Ｓ２５．無線操作端末３００のＣＰＵ３５１は、待機モードに入ると、応答信号を受信してから一定時間（例えば４ｓ）が経過したタイミングで待機状態に関する問い合せ（GET_WAIT STATUS REQUEST）を第１の無線通信システムを通じて情報処理装置２００に一定の時間周期で送信する。
【０１０４】
Ｓ２６．情報処理装置２００のＣＰＵ２０１は問い合せ（GET_WAIT STATUS REQUEST）を受信した時点でネゴシエーションが完了していない場合には、そのまま待機モードを継続することを指示するための応答（GET_WAIT STATUS RESPONSE）を第１の無線通信システムを通じて無線操作端末３００に送信する。無線操作端末３００は、この場合には待機モードをそのまま継続する。また、情報処理装置２００のＣＰＵ２０１は、問い合せ（GET_WAIT STATUS REQUEST）を受信した時点でネゴシエーションが完了している場合には、第２のリモコン無線通信部３５３の起動指示（第３の起動指示）と待機モードの継続を指示するための応答（GET_WAIT STATUS RESPONSE）を第１の無線通信システムを通じて無線操作端末３００に送信する。なお、図９のＳ２６は後者の場合を示している。
【０１０５】
Ｓ２７．この後、情報処理装置２００のＣＰＵ２０１は、第２のTV無線通信部２０８を起動し、第１のTV無線通信部２０７をスリープ状態にする。
【０１０６】
Ｓ２８．無線操作端末３００のＣＰＵ３５１は、第２のリモコン無線通信部３５３の起動指示（第３の起動指示）と待機モードの継続を指示するための応答（GET_WAIT STATUS RESPONSE）を受信すると、待機モードを継続しつつ第２のリモコン無線通信部３５３を起動し、第１のリモコン無線通信部３５２をスリープ状態にする。これにより、情報処理装置２００と無線操作端末３００とが第２の無線通信システムを通じて接続された状態になる。
【０１０７】
Ｓ２９．情報処理装置２００のＣＰＵ２０１は、第２の無線通信システムを使用して無線操作端末３００にマイクユニット３６１の起動指示（START_MIC_mode）（第４の起動指示）を送信する。
【０１０８】
Ｓ３０．無線操作端末３００のＣＰＵ３５１は、受信されたマイクユニット３６１の起動指示（第４の起動指示）に応じてマイクユニット３６１を起動させる。これによりマイクユニット３６１による集音が開始される。
【０１０９】
Ｓ３１．マイクユニット３６１によって集音された音声データはＣＰＵ３５１にて符号化される。符号化された音声データは、サブコントローラ３５４によって第２のリモコン無線通信部３５３に供給され、ここで無線ＬＡＮパケットに変換されて、第２の無線通信システムを通じて情報処理装置２００に伝送される。
【０１１０】
Ｓ３２．情報処理装置２００の第２のTV無線通信部２０８にて受信された無線ＬＡＮパケットは、符号化された音声データに復元された後、Ａｕｄｉｏデコーダ２１３にて復号され、音声処理回路２１５を通じてスピーカ２１６に供給される。この後は、例えば、音声用アプリケーションに従って音声データを認識、認識データの中から情報処理装置２００の制御用コマンドを抽出して情報処理装置２００を制御したり、認識された文字列で検索サービスを利用したりするなど、音声データをもとにした処理を実行する。
【０１１１】
Ｓ３３．情報処理装置２００のＣＰＵ２０１は、所定のデータ伝送停止条件が成立したことを判定すると、無線操作端末３００にマイクユニット３６１の停止指示（STOP_MIC_mode）を第２の無線通信システムを通じて送信する。データ伝送停止条件には、例えば、無線操作端末３００からの音声データの伝送が一定時間連続して途絶えたこと、などが挙げられる。
【０１１２】
Ｓ３４．無線操作端末３００にマイクユニット３６１の停止指示（STOP_MIC_mode）を送信した後、情報処理装置２００のＣＰＵ２０１は、第２のTV無線通信部２０８を停止し、第１のTV無線通信部２０７をスリープ状態から復帰させる。
【０１１３】
Ｓ３５．一方、無線操作端末３００のＣＰＵ３５１は、マイクユニット３６１の停止指示（STOP_MIC_mode）に従って、マイクユニット３６１を停止させるとともに第２のリモコン無線通信部３５３を停止させ、第１のリモコン無線通信部３５２をスリープ状態から復帰させる。
【０１１４】
Ｓ３６．この後、無線操作端末３００のＣＰＵ３５１は、第１の無線通信システムを使用して第２の無線通信システムの停止を情報処理装置２００に通知する。
【０１１５】
Ｓ３７．情報処理装置２００のＣＰＵ２０１は、無線操作端末３００より第２の無線通信システムの停止通知を受信すると、この通知に対する応答を第１の無線通信システムを使用して無線操作端末３００に返信する。
【０１１６】
Ｓ３８．無線操作端末３００のＣＰＵ３５１は、この応答を受けて、情報処理装置２００からの指示に対する待機モードを抜けて、次のキー操作に対する待機モードに入る。
【０１１７】
このように本実施形態では、無線操作端末３００の音声用アプリケーション起動ボタン３２７がユーザにより操作されても、情報処理装置２００からの起動の指示を無線操作端末３００が受けない限り無線操作端末３００内の第２のリモコン無線通信部３５３およびマイクユニット３６１が起動されない。したがって、情報処理装置２００に電源が入っていないときや、情報処理装置２００と無線通信が不能なときに音声用アプリケーション起動ボタン３２７がユーザにより誤って操作されても、第２のリモコン無線通信部３５３およびマイクユニット３６１が起動されないので、無駄な電力消費を少なくすることができる。
【０１１８】
［動作３］
上記の動作１では、カメラユニット３５６が動作している間は映像データが無線操作端末３００から情報処理装置２００に伝送され続ける。このため、ユーザがカメラ撮影の終了指示の操作をしないまま無線操作端末３００を放置した場合にも、第２のリモコン無線通信部３５３およびカメラユニット３５６が動作し続けるために、無駄な電力の消費量が増大するおそれがある。無線操作端末３００を放置した状態での映像データの伝送の継続をユーザが意図しない場合、ユーザは、放置状態でのデータ伝送を禁止することを無線操作端末３００に設定事項として予め記憶させておくことができる。
【０１１９】
図１０は、放置状態でのデータ伝送を禁止することが設定された条件で映像用アプリケーション起動ボタン３２６が操作された場合の処理の流れを示す図である。
【０１２０】
なお、前提として、情報処理装置２００と無線操作端末３００は第１の無線通信システムにより接続された状態にある。第２の無線通信システムは、初期状態において停止状態にある。無線操作端末３００のカメラユニット３５６、マイクユニット３６１および３軸加速度センサ３６２も初期状態においては停止状態にある。
【０１２１】
Ｓ４１からＳ４９までの動作は、動作１のＳ１からＳ９までの動作と同じであるため説明を省く。
Ｓ５０．無線操作端末３００のＣＰＵ３５１は、カメラユニット３５６の起動指示（START_Camera_mode）を受信すると、３軸加速度センサ３６２を起動させるとともに、サブコントローラ３５４を通じてカメラユニット３５６を起動させる。これにより３軸加速度センサ３６２による３軸方向の加速度の検出とカメラユニット３５６による撮影が開始される。これに伴い、無線操作端末３００のＣＰＵ３５１は３軸加速度センサ３６２の出力をもとに、無線操作端末３００の放置状態の発生の有無を検出する動作を開始する。無線操作端末３００のＣＰＵ３５１は、例えば、３軸加速度センサ３６２の３軸方向それぞれの加速度を監視し、３軸方向全ての加速度が予め設けられた閾値より小さい状況の連続期間が、予め設けられた時間の閾値よりも長い場合に、無線操作端末３００が放置状態であるものと判定する。なお、本技術はこの判定方法に限られるものではない。
【０１２２】
Ｓ５１．カメラユニット３５６によって撮影された映像はエンコーダ３５７によって、例えば一定時間間隔毎のＪＰＥＧデータなどの静止画データに符号化される。符号化された静止画データは、サブコントローラ３５４によって第２のリモコン無線通信部３５３に供給され、ここで無線ＬＡＮパケットに変換されて、第２の無線通信システムを通じて情報処理装置２００に伝送される。
【０１２３】
Ｓ５２．情報処理装置２００の第２のTV無線通信部２０８にて受信された無線ＬＡＮパケットは、符号化された静止画データに復元された後、Ｖｉｄｅｏデコーダ２１４にて復号され、ＧＵＩ重畳器２１７、映像処理回路２１８を通じてディスプレイ２１９に連続して供給されて表示される。この後は、映像用アプリケーションに従って、映像データに対する所定の処理が実行される。
【０１２４】
情報処理装置２００のＣＰＵ２０１は、所定のデータ伝送停止条件が成立したことを判定すると、無線操作端末３００にカメラユニット３５６の停止指示（STOP_Camera_mode）を第２の無線通信システムを通じて送信する（図示せず）。データ伝送停止条件には、無線操作端末３００からの映像データの伝送が一定時間連続して途絶えたこと、などが挙げられる。
Ｓ５３．但し、ここでは映像データの伝送が一定時間連続して途絶える前に、無線操作端末３００のＣＰＵ３５１が３軸加速度センサ３６２の出力をもとに放置状態であることが検出された場合を説明する。
【０１２５】
Ｓ５４．３軸加速度センサ３６２の出力をもとに放置状態が検出された場合、無線操作端末３００のＣＰＵ３５１は、カメラユニット３５６を停止させるとともに第２のリモコン無線通信部３５３を停止させ、第１のリモコン無線通信部３５２をスリープ状態から復帰させる。無線操作端末３００の第１のリモコン無線通信部３５２がスリープ状態から復帰することで、情報処理装置２００の第１のTV無線通信部２０７もスリープ状態から復帰（ウェークアップ）する。これにより第１の無線通信システムが稼動状態になる。
【０１２６】
Ｓ５５．この後、無線操作端末３００のＣＰＵ３５１は、第１の無線通信システムを用いて、第２の無線通信システムの停止を情報処理装置２００に通知する。
Ｓ５６．情報処理装置２００のＣＰＵ２０１は、無線操作端末３００より第２の無線通信システムの停止通知を受信すると、第２のTV無線通信部２０８を停止させるとともに、この通知に対する応答を第１の無線通信システムを使用して無線操作端末３００に返信する。以降の動作は動作１と同じである。
【０１２７】
このように本実施形態では、無線操作端末３００のＣＰＵ３５１は、映像データの伝送中、３軸加速度センサ３６２の出力を監視して無線操作端末３００が放置状態になったことを判定して、第２のリモコン無線通信部３５３およびカメラユニット３５６を停止させる。これにより、無線操作端末３００と情報処理装置２００とが第２の無線通信システムを通じて互いに接続された状態で無線操作端末３００が放置された場合の電力消費を最小に抑えることができる。
【０１２８】
なお、動作３は、映像用アプリケーション起動ボタン３２６が操作された場合の処理の流れであるが、映像用アプリケーション起動ボタン３２６が操作された場合も同様である。
【０１２９】
なお、本技術は以上説明した実施の形態には限定されるものではなく、本技術の技術思想の範囲内で種々の変形が可能である。
【符号の説明】
【０１３０】
１００…無線制御システム
２００…情報処理装置
２０１…ＣＰＵ
２０７…第１のTV無線通信部
２０８…第２のTV無線通信部
３００…無線操作端末
３２０…リモコンキー
３２６…映像用アプリケーション起動ボタン
３２７…音声用アプリケーション起動ボタン
３５１…ＣＰＵ
３５２…第１のリモコン無線通信部
３５３…第２のリモコン無線通信部
３５４…サブコントローラ
３５６…カメラユニット
３６１…マイクユニット
【図１】
0005849457.tif 000002
【図２】
0005849457.tif 000003
【図３】
0005849457.tif 000004
【図４】
0005849457.tif 000005
【図５】
0005849457.tif 000006
【図６】
0005849457.tif 000007
【図７】
0005849457.tif 000008
【図８】
0005849457.tif 000009
【図９】
0005849457.tif 000010
【図１０】
0005849457.tif 000011